(57)【要約】【課題】折り曲げて重ね合わせたフレキシブルケーブル本体や、フレキシブルケーブル本体の部品を、新たに部品を追加することなく容易にかつ強固に固定することが可能な固定方法を提供する。【解決手段】配線パターンが形成された可撓性を有するフレキシブルケーブル本体１に、このフレキシブルケーブル本体１を補強するための補強板２と、補強板２と同じ材料で形成され、かつ、一枚の薄板を打ち抜き加工して補強板２と同時に形成される固定板３，４とが貼着されている。フレキシブルケーブル本体１の脚部１ｂを、２箇所の突部１ｅを結ぶ点線Ａを折り線として矢印方向に折り曲げ、次に、脚先側の突部１ｅを目印にしながら点線Ｂを折り線として矢印方向に折り曲げ、脚部１ｂを交差させて重ね合わせ、固定板３のフック部３ａを、脚部１ｂの固定板３が貼着された面とは逆側の面に引っ掛けることにより、折り曲げて重ね合わせた部分は固定される。【選択図】図３
2006286446.tif 000002
【特許請求の範囲】
【請求項１】
補強板が貼り付けられることにより補強されたフレキシブルケーブル本体と、
フック部を有し、前記フレキシブルケーブル本体に貼り付けられた固定板とを有するフレキシブルケーブル。
【請求項２】
前記フック部は、前記フレキシブルケーブル本体に引っ掛けるためのものであり、
前記固定板は、前記フレキシブルケーブル本体を折り曲げて重ね合わせられる位置に貼り付けられたものである請求項１に記載のフレキシブルケーブル。
【請求項３】
前記フック部は、前記フレキシブルケーブルに取り付けられる部品に引っ掛けるためのものである請求項１に記載のフレキシブルケーブル。
【請求項４】
補強板が貼り付けられることにより補強されたフレキシブルケーブル本体と、
フック部を備え、前記フレキシブルケーブル本体に貼り付けられた固定板と
を有するフレキシブルケーブルの製造方法であって、
前記補強板と固定板とが一体成形されたフィルムを前記フレキシブルケーブル本体に貼り付ける工程と、
前記貼り付ける工程の後より前記フィルムを切断して前記補強板と固定板とを分割する工程とを含むフレキシブルケーブルの製造方法。
【請求項５】
補強板が貼り付けられることにより補強されたフレキシブルケーブル本体と、
フック部を備え、前記フレキシブルケーブル本体に貼り付けられた固定板と
を有するフレキシブルケーブルの形成方法であって、
前記フレキシブルケーブル本体を折り曲げ、
前記フレキシブルケーブル本体の重ねあわせ部分に前記固定板のフック部を引っ掛けて固定するフレキシブルケーブルの形成方法。
【請求項６】
補強板が貼り付けられることにより補強されたフレキシブルケーブル本体に部品を取り付け、前記フレキシブルケーブル本体に貼り付けられた固定板のフック部を引っ掛けて前記部品を固定するフレキシブルケーブルに取り付けられる部品の固定方法。
【発明の詳細な説明】
【技術分野】
【０００１】
本発明は、可撓性を有し、一部を折り曲げて立体的な構造とすることが可能なフレキシブルケーブルに関する。
【背景技術】
【０００２】
電子機器の小型化や筐体の設計自由度を上げるために、可撓性材料により形成されたフレキシブルケーブルによって基板や電子部品を三次元的に接続して筐体内に配置したい場合がある。三次元的な接続を実現するためには、例えば、フレキシブルケーブルを多層化させたり、単層のフレキシブルケーブルを任意の位置で折り曲げたり、フレキシブルケーブルに部品を取り付けて筐体内に固定することが考えられる。
【０００３】
特許文献１には、単層のフレキシブルケーブルを任意の位置で折り曲げて固定する方法が記載されている。特許文献１の折り曲げ固定方法は、単層のフレキシブルケーブルを任意の位置で折り曲げ、この折り曲げて重ね合わせた部分を両側から合成樹脂製の板状体で挟みこみ、片方の板状体に設けられた孔にもう片方の板状体に形成されたクリップを嵌め合い係止させて固定する方法である。
【特許文献１】特開平４−２０９４１７号公報
【発明の開示】
【発明が解決しようとする課題】
【０００４】
特許文献１に記載の方法では、折り曲げて重ね合わせた部分を固定するために板状体を別途用いる必要があり部品点数が増えるうえに、片方の板状体に設けられた孔にもう片方の板状体に形成されたクリップを嵌め合い係止させて固定しなければならないため、固定作業も煩わしいものとなる。また、新たに部品を用いることなく折り曲げて重ね合わせたフレキシブルケーブル本体やフレキシブルケーブル本体に取り付けられる部品を固定する方法として、粘着テープ等で固定することも可能であるが、作業のばらつきにより折り曲げた位置がずれたり、貼り付けが十分でなかったりする。
【０００５】
そこで、本発明は、作業性が良く、容易に三次元的な構造とすることが可能なフレキシブルケーブルおよびフレキシブルケーブルの製造方法ならびにフレキシブルケーブルまたはフレキシブルケーブルに取り付けられる部品の固定方法を提供することを目的とする。
【課題を解決するための手段】
【０００６】
本発明のフレキシブルケーブルは、補強板が貼り付けられることにより補強されたフレキシブルケーブル本体と、フック部を備え、前記フレキシブルケーブル本体に貼り付けられた固定板とを有することを特徴とする。
【発明の効果】
【０００７】
本発明のフレキシブルケーブルによれば、フック部を備えた固定板がフレキシブルケーブル本体に貼り着けられているので、作業性がよく、容易にフレキシブルケーブルを三次元的な構造とすることができる。
【発明を実施するための最良の形態】
【０００８】
本願の第１の発明は、補強板が貼り付けられることにより補強されたフレキシブルケーブル本体と、フック部を備え、フレキシブルケーブル本体に貼り付けられた固定板とを有することを特徴とする。
【０００９】
本願発明によれば、フック部を備えた固定板がフレキシブルケーブル本体に貼り着けられているので、新たに部品を追加することなく、また、固定板のフック部を利用して、作業者はフレキシブルケーブルを容易に三次元的な構造とすることができる。
【００１０】
また、本願の第２の発明は、本願の第１の発明において、フック部は、フレキシブルケーブル本体の重ね合わせ部分に引っ掛けるためのものであり、固定板は、フレキシブルケーブル本体を折り曲げて重ね合わせられる位置に貼り付けられたものであることを特徴とする。
【００１１】
固定板は、フレキシブルケーブル本体を折り曲げて重ね合わせられる位置に貼り着けられているので、作業者は、この固定板を目安にフレキシブルケーブル本体を折り曲げて重ね合わせ、そしてこの重ねあわせ部分にフック部を引っ掛けるだけで容易に固定することができ、フレキシブルケーブルを三次元的な構造とすることができる。従って、本発明のフレキシブルケーブルを三次元的に配置した電子機器において、作業ばらつきによる故障を防ぐことができる。
【００１２】
本願の第３の発明は、本願の第１の発明において、フック部は、フレキシブルケーブルに取り付けられる部品に引っ掛けるためのものであることを特徴とする。
【００１３】
作業者は、固定板が貼り付けられたフレキシブルケーブルに部品を取り付け、固定板のフック部をこの部品に引っ掛けることにより、部品をフレキシブルケーブルに容易に固定することができ、この部品を用いてフレキシブルケーブルを三次元的な構造にすることができる。従って、本発明のフレキシブルケーブルを三次元的に配置した電子機器において、作業ばらつきによる故障を防ぐことができる。
【００１４】
本願の第４の発明は、補強板が貼り付けられることにより補強されたフレキシブルケーブル本体と、フック部を備え、フレキシブルケーブル本体に貼り付けられた固定板とを有するフレキシブルケーブルの製造方法であって、補強板と固定板とが一体成形されたフィルムをフレキシブルケーブル本体に貼り付ける工程と、貼り付ける工程の後よりフィルムを切断して前記補強板と固定板とを分割することを含むことを特徴とする。
【００１５】
フレキシブルケーブル本体を補強するための補強板と固定板は、一枚に繋がった状態で一体成形されたフィルムとなっており、このフィルムをフレキシブルケーブル本体に貼り付け、そして、フィルムを切断して補強板と固定板とを分割することにより、経時劣化をおこさず、容易にフレキシブルケーブルを三次元的な構造とすることができる固定板を簡単に形成することができる。
【００１６】
本願の第５の発明は、補強板が貼り付けられることにより補強されたフレキシブルケーブル本体と、フック部を備え、フレキシブルケーブル本体に貼り付けられた固定板とを有するフレキシブルケーブルの形成方法であって、フレキシブルケーブル本体を折り曲げ、フレキシブルケーブル本体の重ねあわせ部分に固定板のフック部を引っ掛けて固定することを特徴とするフレキシブルケーブルの形成方法である。
【００１７】
また、本願の第６の発明は、補強板が貼り付けられることにより補強されたフレキシブルケーブル本体に部品を取り付け、フレキシブルケーブル本体に貼り付けられた固定板のフック部を引っ掛けて部品を固定することを特徴とするフレキシブルケーブルに取り付けられる部品の固定方法である。
【００１８】
本願の第５および第６の発明によれば、作業性が良く、フレキシブルケーブルを容易に三次元的な構造とすることができる。
【００１９】
（実施の形態）
以下、図を用いて本発明の実施の形態におけるフレキシブルケーブルと、このフレキシブルケーブルを三次元的な構造とするために、折り曲げて重ね合わせたフレキシブルケーブル本体およびフレキシブルケーブル本体に取り付けられる部品を固定する方法について説明する。図１は、本発明の実施の形態におけるフレキシブルケーブルを示す斜視図である。図２（ａ）は、フレキシブルケーブル本体の重ねあわせ部分の固定用の正面図、図２（ｂ）は、フレキシブルケーブルに取り付けられる部品用の正面図、図２（ｃ）は、同図（ｂ）の側面図である。
【００２０】
図１に示すように、本発明の実施の形態におけるフレキシブルケーブル１０は、配線パターンが形成された可撓性を有するフレキシブルケーブル本体１に、このフレキシブルケーブル本体１を補強するための補強板２と、折り曲げて重ね合わせたフレキシブルケーブル本体１を係止して固定する固定板３と、フレキシブルケーブル本体１に取り付けられる部品を係止して固定する固定板４とが貼着されている。
【００２１】
フレキシブルケーブル本体１は、銅張板の表面の銅箔をエッチング加工することによって形成された配線パターンを有している。配線パターンの上にはカバーフィルムが貼着され、メッキ加工されている。本実施の形態におけるフレキシブルケーブル本体１は、電子部品が実装される円形の頭部１ａと、折り曲げられたり部品が取り付けられたりする長尺状の脚部１ｂ，１ｃ，１ｄとにより構成されている。
【００２２】
頭部１ａには、この頭部１ａのフレキシブルケーブル本体１を補強するための補強板２が貼着されている。本実施の形態の補強板２は、樹脂製材料によって、頭部１ａと略同形に形成されている。補強板の素材としては、樹脂製、紙製など、フレキシブルケーブル本体を補強できる程度の強度を持っているものであればどのようなものであってもよい。
【００２３】
脚部１ｂには、この脚部１ｂを折り曲げて重ね合わせた部分を係止して固定するための固定板３が設けられ、この固定板３は、脚部１ｂを折り曲げる際の折り線の目印として脚部１ｂの両側に形成された２つの突部１ｅのうち、脚先側となる位置に設けられた突部１ｅに隣接させて貼着されている。脚部１ｄには、脚部１ｄに備えられる部品を係止して固定するための固定板４が貼着されている。
【００２４】
固定板３は、図２（ａ）に示すように、脚部１ｂの幅よりも大きく形成されており、脚部１ｂを係止するためのフック部３ａを２箇所に有している。フック部３ａは、脚部１ｂを係止して固定する際、固定板３が貼着された面とは逆側の面に引っ掛けることができるように釣り針様に形成されている。
【００２５】
固定板４は、図２に示すように、フレキシブルケーブル１０に取り付けられる部品であるコア５を係止して固定するために、コア５に形成された開口部５ａを貫通した後、湾曲した状態でコア５の表面に係止されるフック部となる爪４ａと、コア５の開口部５ａを通らずに、爪４ａが係止される面とは逆側の面に係止される係止部４ｂとを有している。
【００２６】
補強板２と固定板３，４とは同じ材料で形成されており、一枚の薄板を打ち抜き加工して同時に形成される。なお、補強板２および固定板３，４の厚さは、フレキシブルケーブル本体１を補強することができる程度の厚さを有するとともに、フレキシブルケーブル本体１の脚部１ｄに固定板４を貼着した際の厚さの合計が、コア５の開口部５ａを貫通できる程度の厚さとなるように調整されている。
【００２７】
次に、本実施の形態のフレキシブルケーブル１０を製造する方法について説明する。
【００２８】
まず、銅張板の表面の銅箔をエッチング加工して表面に配線パターンを形成し、この配線パターン上にカバーフィルムとメッキ加工を施してフレキシブルケーブル本体１を作成する。次に、補強板２および固定板３，４の材料となる樹脂製のフィルム材を打ち抜き加工して、補強板２および固定板３，４とが成形されたフィルムをフレキシブルケーブル本体１の片面上に貼着する。このとき、補強板２および固定板３，４は、フィルムを打ち抜き加工したことにより、枠片を介してそれぞれ繋がった状態で一体成形された一枚のフィルムとなっているので、補強板２および固定板３，４は、頭部１ａおよび脚部１ｂ，１ｄ上の所定の位置に一度にまとめて貼着されることとなる。なお、この枠片は、後で行われる外形抜き加工で切り離される。
【００２９】
次に、頭部１ａの所定の位置に穴抜き加工を行う。最後に、フレキシブルケーブル本体１の外形抜き加工を行い、補強板２および固定板３，４をそれぞれ接続していた枠片を切り離すと、本実施の形態のフレキシブルケーブル１０が完成する。
【００３０】
このように、本実施の形態のフレキシブルケーブル１０によれば、固定板３，４は、補強板２の打ち抜き工程において、一回の打ち抜き加工により枠片を介して繋がった状態で成形されるので、補強板２を形成する際の抜き型のみを変更するだけで、固定板３，４を補強板２と同時に成形することができる。また、固定板３，４は補強板２と枠片を介してそれぞれ繋がった状態となっているので、それぞれを別々に貼着する手間はかからず、一度にまとめてフレキシブルケーブル本体１に貼着することができる。
【００３１】
次に、図を用いて本実施の形態のフレキシブルケーブル本体１およびコア５の固定方法について説明する。図３は、フレキシブルケーブル本体１の重ね合わせ部分を固定する手順を示す図である。図４（ａ）は、固定板を貫通させた図、図４（ｂ）は、爪を引き出した図、図４（ｃ）は、（ｂ）の矢視図である。
【００３２】
まず、フレキシブルケーブル本体１の固定方法について説明する。始めに、図３（ａ）に示すように、フレキシブルケーブル本体１の脚部１ｂを、２箇所の突部１ｅを結ぶ点線Ａを折り線として矢印方向に折り曲げる。次に、図３（ｂ）に示すように、脚先側の突部１ｅを目印にしながら点線Ｂを折り線として矢印方向に折り曲げ、脚部１ｂを交差させて重ね合わせる。そして、図３（ｃ）に示すように、固定板３のフック部３ａを、脚部１ｂの固定板３が貼着された面とは逆側の面に引っ掛ける。これにより、折り曲げて重ね合わせた部分は固定される。このように、本実施の形態のフレキシブルケーブル本体１は固定板３を有するので、脚部１ｂを折り曲げて重ね合わせた部分を強固に固定することができ、フレキシブルケーブル本体１を三次元的に配置することが可能となる。
【００３３】
次に、コア５の固定方法について説明する。図４（ａ）に示すように、フレキシブルケーブル本体１の脚部１ｄを脚先側からコア５の開口部５ａ内に通す。そして、図４（ｂ）に示すように、固定板４の爪４ａまでを完全に貫通させる。このとき、係止部４ｂは爪４ａが係止される面とは逆側の面に係止された状態となっている。図４（ｃ）に示すように、爪４ａを開口部５ａから完全に引き出すと、爪４ａは湾曲した状態でコア５の表面に係止される。以上のように、固定板４には、爪４ａと係止部４ｂが形成されており、それぞれがコア５の両側面で係止されるので、コア５は脚部１ｄから抜けることなく強固に脚部１ｄに固定される。このように、本実施の形態のフレキシブルケーブル本体１は固定板４を有するので、脚部１ｄにコア５を強固に固定することができる。
【００３４】
以上のように、本実施の形態のフレキシブルケーブル本体１は、固定板３，４により、折り曲げて重ね合わせたフレキシブルケーブル本体１や、フレキシブルケーブル本体１に取り付けられる部品であるコア５を、新たに部品を追加することなく作業性良くかつ強固に固定することができ、フレキシブルケーブル１０を容易に三次元的な構造とすることができる。また、固定板３，４により折り曲げて重ね合わせたフレキシブルケーブル本体１や、フレキシブルケーブル本体１の部品であるコア５は係止されて固定されるので、経時劣化などがない。従って、フレキシブルケーブル１０を三次元的に配置した電子機器において、経時劣化による故障を防ぐことができる。
【００３５】
なお、本発明のフレキシブルケーブル本体に貼着された固定板３，４の形状は本実施の形態の固定板３，４の形状に限ったものではなく、折り曲げて重ね合わせたフレキシブルケーブル本体１や、フレキシブルケーブル本体１の部品を係止して固定できるものであればどのようなものであってもよい。
【００３６】
また、補強板２および固定板３，４の材質は樹脂製のものに限らず、紙製など、フレキシブルケーブル本体を補強できる程度の強度を持っているものであればどのようなものであってもよい。
【産業上の利用可能性】
【００３７】
本発明のフレキシブルケーブルおよびフレキシブルケーブルに取り付けられる部品の固定方法によれば、折り曲げて重ね合わせたフレキシブルケーブルや、フレキシブルケーブルに取り付けられる部品を、新たに部品を追加することなく作業性良くかつ強固に固定することができるので、容易に三次元的な構造とすることができ、これを備えた電子機器において、経時劣化による故障を防ぐことができるフレキシブルケーブルとして有用である。
【図面の簡単な説明】
【００３８】
【図１】本発明の実施の形態におけるフレキシブルケーブルを示す斜視図
【図２】（ａ）フレキシブルケーブル本体の重ねあわせ部分の固定用の正面図、（ｂ）フレキシブルケーブルに取り付けられる部品用の正面図、（ｃ）（ｂ）の側面図
【図３】フレキシブルケーブル本体の重ね合わせ部分を固定する手順を示す図
【図４】（ａ）固定板を貫通させた図、（ｂ）爪を引き出した図、（ｃ）（ｂ）の矢視図
【符号の説明】
【００３９】
１    フレキシブルケーブル本体
１ａ    頭部
１ｂ，１ｃ，１ｄ    脚部
１ｅ    突部
２    補強板
３    固定板
３ａ    フック部
４    固定板
４ａ    爪
４ｂ    係止部
５    コア
５ａ    開口部
１０    フレキシブルケーブル
【図１】
2006286446.tif 000003
【図２】
2006286446.tif 000004
【図３】
2006286446.tif 000005
【図４】
2006286446.tif 000006